(57)【要約】【課題】意匠性や組付時の作業性を向上させることができる配管支持構造及び什器を提供する。【解決手段】天板１２に形成された貫通孔３１内に挿通される配管２４と、配管２４を天板１２に固定する支持具２５と、を備え、配管２４は、内側に照明配線２８が配索可能な筒部３３と、筒部３３の内側に位置する蓋部３４と、を有し、支持具２５は、上下方向で筒部３３に対向して配置され、第１ねじ５１を介して蓋部３４に接続される第１接続部４４と、天板１２に接続される第２接続部４５と、を有し、第１ねじ５１は、蓋部３４と第１接続部４４とを上下方向で連結する。【選択図】図４
2018071761.tif 000002
【特許請求の範囲】
【請求項１】
被貫通物に形成された貫通孔内に挿通される配管と、
前記配管を前記被貫通物に固定する支持具と、を備え、
前記配管は、
内側に配索部材が配索可能な筒部と、
前記筒部の内側に位置する固定部と、を有し、
前記支持具は、
前記筒部の延在方向で前記筒部に対向して配置され、連結部材を介して前記固定部に接続される第１接続部と、
前記被貫通物に接続される第２接続部と、を有し、
前記連結部材は、前記固定部と前記第１接続部とを前記延在方向で連結する配管支持構造。
【請求項２】
前記筒部における前記固定部に対して前記第１接続部側とは反対側に位置する部分には、前記延在方向に交差する方向に開口して、前記配索部材が通過可能な通過口が形成されている請求項１に記載の配管支持構造。
【請求項３】
前記固定部における前記延在方向で前記第１接続部側とは反対側を向く面は、前記延在方向に交差するとともに、前記通過口に向けて延びるガイド面を有している請求項２に記載の配管支持構造。
【請求項４】
前記固定部は、前記筒部における前記第１接続部側の開口を閉塞し、
前記固定部には、前記延在方向に延びるとともに、前記連結部材が螺着される雌ねじ部が形成されている請求項１から請求項３の何れか１項に記載の配管支持構造。
【請求項５】
請求項１から請求項４の何れか１項に記載の配管支持構造を有する什器。
【請求項６】
前記被貫通物である天板と、
前記天板の上面側に配置されたパネルと、を有し、
前記パネルは、
パネル本体と、
前記パネル本体を支持し、前記天板に形成された貫通孔に挿通された前記配管と、
前記天板の下面側に配置され、前記配管と前記天板との間を連結する前記支持具と、を有する請求項５に記載の什器。
【発明の詳細な説明】
【技術分野】
【０００１】
本発明は、配管支持構造及び什器に関するものである。
【背景技術】
【０００２】
内部に配線等が配索される配管を、被貫通物に形成された貫通孔内で支持する配管支持構造として、例えば下記特許文献１に示される構成が知られている。下記特許文献１において、配管の外周面には雄ねじ部が形成されている。配管の雄ねじ部には、配管が貫通孔内に挿通された状態で、被貫通物に対して両側からナットが螺着されている。これにより、被貫通物がナットに挟持されることで、配管が貫通孔内で支持されている。
【先行技術文献】
【特許文献】
【０００３】
【特許文献１】実公昭６２−２８９８８号公報
【発明の概要】
【発明が解決しようとする課題】
【０００４】
ところで、上述した配管支持構造にあっては、被貫通物に対して両側からナットを螺着する必要があるので、意匠性や組付時の作業性を向上させる点で未だ改善の余地があった。
例えば、図書館等の閲覧スペースに設置されるテーブルシステムに配管支持構造を採用した場合において、天板に形成された貫通孔内で配管を支持する際、天板の上面に一方のナットが露出することになる。そのため、意匠性が低下するという課題がある。
また、テーブルシステムには、天板上のスペースを利用者毎の個別ブースに仕切る間仕切りや、個別ブースを照らす照明装置が設置される。これら間仕切りや照明装置は、配管ともにユニット化して天板に組み付けられる場合がある。この場合、配管において天板よりも上方に位置する部分に間仕切りや照明装置が組み付けられているため、天板に対して上方からナットを螺着することが困難である。
【０００５】
本発明は、上記事情に鑑みてなされたものであり、意匠性や組付時の作業性を向上させることができる配管支持構造及び什器を提供することを目的とする。
【課題を解決するための手段】
【０００６】
上記目的を達成するために、本発明の一態様に係る配管支持構造は、被貫通物に形成された貫通孔内に挿通される配管と、前記配管を前記被貫通物に固定する支持具と、を備え、前記配管は、内側に配索部材が配索可能な筒部と、前記筒部の内側に位置する固定部と、を有し、前記支持具は、前記筒部の延在方向で前記筒部に対向して配置され、連結部材を介して前記固定部に接続される第１接続部と、前記被貫通物に接続される第２接続部と、を有し、前記連結部材は、前記固定部と前記第１接続部とを前記延在方向で連結する。
本態様によれば、配管が支持具を介して被貫通物に接続されるため、被貫通物に対して一方側（支持具が配置される側）のみで配管を被貫通物に接続できる。そのため、従来のように配管に螺着されたナットにより被貫通物を両側から挟持する構成と異なり、被貫通物の他方側にナット等が露出することがない。これにより、被貫通物における他方側での意匠性を向上させることができる。また、被貫通物の一方側のみで配管を被貫通物に固定できるので、配管の他方側に間仕切り等の他の部材が取り付けられた状態で被貫通物に配管を組み付ける際等、被貫通物の他方側からナット等を螺着できない場合であっても、簡単に配管を被貫通物に組み付けることができる。これにより、組付性を向上させることができる。
しかも、本態様では、配管の固定部と支持具の第１接続部とが連結部材により筒部の延在方向で締結されるため、例えば配管を配管の径方向で締結する場合に比べて配管の変形を抑制できる。そのため、配管を被貫通物から着脱する際等に、配管の変形に伴う配管と被貫通物との干渉を抑制し、配管を貫通孔内にスムーズに挿通できる。また、配管の変形に伴う連結力の低下を抑制し、配管と被貫通物との組付状態を長期に亘って良好に維持できる。
【０００７】
上記態様において、前記筒部における前記固定部に対して前記第１接続部側とは反対側に位置する部分には、前記延在方向に交差する方向に開口して、前記配索部材が通過可能な通過口が形成されていてもよい。
本態様によれば、配管と第１接続部とを筒部の延在方向で連結する場合において、例えば通過口を筒部の延在方向で開口させる場合に比べて、筒部の小径化を図ることができ、意匠性を向上させることができる。また、通過口を広く確保できるので、配索部材の引き回し作業が容易になる。
【０００８】
上記態様において、前記固定部における前記延在方向で前記第１接続部側とは反対側を向く面は、前記延在方向に交差するとともに、前記通過口に向けて延びるガイド面を有していてもよい。
本態様によれば、通過口を通して配管の内外に配索部材を配索させる際に、例えば配管内を配索される配索部材がガイド面を倣って通過口に案内され易くなる。これにより、配索部材の引き回し作業を容易に行うことができる。
【０００９】
上記態様において、前記固定部は、前記筒部における前記第１接続部側の開口を閉塞し、前記固定部には、前記延在方向に延びるとともに、前記連結部材が螺着される雌ねじ部が形成されていてもよい。
本態様によれば、固定部に雌ねじ部が形成されているため、例えば筒部に雌ねじ部を一体に形成する場合と異なり、筒部の内径や連結部材のサイズを独立して選択できる。これにより、設計の自由度を向上させることができる。
【００１０】
本発明の一態様に係る什器は、上記態様の配管支持構造を有する。
本態様によれば、上述した態様の配管支持構造を有しているため、意匠性及び組付性に優れた什器を提供できる。
【００１１】
上記態様において、前記被貫通物である天板と、前記天板の上面側に配置されたパネルと、を有し、前記パネルは、パネル本体と、前記パネル本体を支持し、前記天板に形成された貫通孔に挿通された前記配管と、前記天板の下面側に配置され、前記配管と前記天板との間を連結する前記支持具と、を有してもよい。
本態様によれば、天板の下面側のみで配管を天板に固定できるので、従来のように配管に螺着されたナットにより天板を挟持する構成と異なり、天板の上面側にナット等が露出することがない。これにより、天板上の意匠性を向上させることができる。また、天板の下面側のみで配管を天板に固定できるので、配管とパネル本体とが一体となったパネルを天板に組み付ける際等、天板の上方からナットを螺着できない場合であっても、簡単に配管を天板に組み付けることができる。これにより、組付性を向上させることができる。
【発明の効果】
【００１２】
本発明の一態様に係る配管支持構造及び什器によれば、意匠性や組付時の作業性を向上させることができる。
【図面の簡単な説明】
【００１３】
【図１】実施形態に係るテーブルシステムの斜視図である。
【図２】実施形態に係るテーブルシステムを前方から見た正面図である。
【図３】図１のＩＩＩ−ＩＩＩ線に相当する断面図である。
【図４】実施形態に係るテーブルシステムを天板の下方から見た斜視図である。
【図５】図１のＶ−Ｖ線に沿う断面図である。
【図６】図１のＶＩ−ＶＩ線に沿う断面図である。
【図７】第１変形例に係る図であって、図３のＶＩＩ−ＶＩＩ線に対応する断面図である。
【図８】第２変形例に係る図であって、図３のＶＩＩ−ＶＩＩ線に対応する断面図である。
【図９】第２変形例に係る図であって、図３のＶＩＩ−ＶＩＩ線に対応する断面図である。
【図１０】第３変形例に係る図であって、配管及び支持具を下方から見た分解斜視図である。
【図１１】第３変形例に係る図であって、配管及び支持具を下方から見た分解斜視図である。
【発明を実施するための形態】
【００１４】
次に、本発明の実施形態を図面に基づいて説明する。本実施形態では、本発明の配管支持構造をテーブルシステム１に採用した場合について説明する。以下の説明では、床面Ｆの法線方向を上下方向（矢印ＵＰが上方）とし、上下方向に直交する方向をそれぞれ前後方向（矢印ＦＲが前方）及び左右方向（矢印ＬＨが左側）として説明する。
【００１５】
［テーブルシステム］
図１は、テーブルシステム１の斜視図である。図２は、テーブルシステム１を前方から見た正面図である。
図１、図２に示すテーブルシステム１は、例えば公共施設（例えば、学校や図書館等）や店舗等に設けられた閲覧スペース等に設置され、複数の利用者が資料等を閲覧する際に用いられる。テーブルシステム１は、テーブルユニット２と、間仕切りユニット３と、配線収納什器４と、を有している。なお、テーブルシステム１の設置場所は、上述した各施設の他、オフィス等であっても構わない。
【００１６】
＜テーブルユニット＞
テーブルユニット２は、脚体１１と、天板１２と、を有している。
脚体１１は、床面Ｆ上に設置されている。脚体１１は、左右方向から見た側面視で例えば矩形枠状に形成されている。本実施形態において、脚体１１は、左右方向に間隔をあけて例えば一対配置されている。なお、脚体１１の数や形状等は、適宜変更が可能である。
【００１７】
天板１２は、各脚体１１の上端部同士の間に架け渡された状態で、各脚体１１に下方から支持されている。本実施形態において、天板１２は、左右方向を長手方向とし、前後方向を短手方向とする長方形状に形成されている。
【００１８】
図１に示すように、天板１２における前後方向の中央部には、天板１２を上下方向に貫通するアダプタ収容孔１３が形成されている。アダプタ収容孔１３は、例えば前後方向で間隔をあけて２列、左右方向に間隔をあけて３つの合計６つ形成されている。各アダプタ収容孔１３には、配線接続部材１５が収容されている。配線接続部材１５は、差込プラグやＬＡＮケーブル等が差し込まれるアダプタを有する箱型のものである。本実施形態において、配線接続部材１５は、上面が天板１２の上面に露出し、かつ下部が天板１２の下面に露出した状態で、アダプタ収容孔１３内に収容されている。配線接続部材１５には、天板１２の下方において、アダプタ配線１６（図５参照）が接続されている。
【００１９】
＜間仕切りユニット＞
間仕切りユニット３は、天板１２を利用者毎の個別ブースＣに仕切っている。間仕切りユニット３は、天板１２上を前後に仕切る前後仕切部２１と、天板１２上を左右に仕切る左右仕切部２２と、を有している。
本実施形態において、前後仕切部２１は、天板１２における前後方向の中央部に設けられている。左右仕切部２２は、天板１２上において左右方向に間隔をあけて複数（例えば、４つ）設けられている。したがって、本実施形態の間仕切りユニット３は、天板１２を、前後方向で２列、左右方向に３つの合計６つの個別ブースＣに仕切っている。本実施形態のテーブルシステム１では、各個別ブースＣに対応して椅子（不図示）等を置くことで、利用者は他の利用者と視線を合わせることなく、各個別ブースＣで資料等を閲覧できるようになっている。なお、上述した配線接続部材１５（収容孔１３）は、各個別ブースＣにおいて、前後仕切部２１寄りの部分に設置されている。
【００２０】
図３は、図１のＩＩＩ−ＩＩＩ線に相当する断面図である。
図１、図３に示すように、上述した前後仕切部２１は、配管２４と、支持具２５（図３参照）と、第１幕板２６と、照明装置２７と、を主に備えている。
配管２４は、天板１２の前後方向の中央部において、左右方向に間隔をあけて複数配置されている。各配管２４は、天板１２を上下方向に貫通する貫通孔３１（図３参照）を通して、天板１２に対して上下両側に突出している。各配管２４は、天板１２の下面に支持具２５を介して固定されている。すなわち、配管２４及び支持具２５は、本実施形態の配管支持構造を構成している。なお、天板１２の貫通孔３１内には、貫通孔３１内において各配管２４の周囲を取り囲むスリーブ３２が挿入されている。
【００２１】
図４は、テーブルシステム１を天板１２の下方から見た斜視図である。以下の説明では、配管２４及び支持具２５のうち、最も右側に配置された配管２４Ａ及び支持具２５Ａについて主に説明し、他の配管２４及び支持具２５の構成については説明を省略する。
図３、図４に示すように、上述した配管２４Ａは、上下方向に延びる筒部３３と、筒部３３の下端開口を閉塞する蓋部３４と、を有している。
筒部３３は、上下方向に延びる中空円筒状とされている。筒部３３は、天板１２の貫通孔３１内において、スリーブ３２の内側を通って天板１２を上下方向に貫通している。筒部３３の下端部（天板１２の下面よりも下方に位置する部分）において、周方向の一部（本実施形態では、左側を向く部分）には、スリット３６が形成されている。スリット３６は、筒部３３を径方向に貫通するとともに、上下方向に沿って延在している。本実施形態において、スリット３６は筒部３３の下端面で開放されている。
【００２２】
蓋部３４は、筒部３３の下端部における内周面に例えば溶接等によって固定されている。蓋部３４には、蓋部３４を上下方向に貫通する雌ねじ部４１が形成されている。本実施形態において、雌ねじ部４１は、内径が筒部３３の内径よりも小さく形成されるとともに、筒部３３の軸線と同軸に配置されている。なお、本実施形態において、蓋部３４の下面は、筒部３３の下端面よりも上方に位置している。但し、蓋部３４の下面は、筒部３３と面一に配置されていても、蓋部３４の下面に対して下方に位置していても構わない。
【００２３】
上述したスリット３６の開口縁と蓋部３４とで囲まれた部分は、筒部３３の内外を連通させる配線通過口４２を構成している。本実施形態において、配線通過口４２は、左側（左右方向の内側）に向けて開口している。配管２４Ａは、配線通過口４２を通して内部に照明配線２８を配索可能に構成されている。なお、本実施形態では、配線通過口４２がスリット３６の開口縁と蓋部３４とで区画された構成について説明したが、この構成のみに限られない。すなわち、配線通過口４２は、配管２４Ａにおける天板１２よりも下方に位置する部分に形成されていれば、筒部３３のみに形成しても、蓋部３４のみに形成しても構わない。
【００２４】
支持具２５Ａは、板材がハット型に屈曲されて構成されている。具体的に、支持具２５は、筒部３３の下端面に対向して配置された第１接続部４４と、天板１２の下面に対向して配置された一対の第２接続部４５と、第１接続部４４及び各第２接続部４５間を連結する連結片４６と、を備えている。
第１接続部４４は、筒部３３の下端面に近接又は当接している。第１接続部４４には、上下方向から見た平面視で上述した雌ねじ部４１と重なり合う位置に、第１接続部４４を上下方向に貫通する第１挿通孔４８が形成されている。第１挿通孔４８内には、下方から第１ねじ５１が挿通されている。第１ねじ５１は、第１挿通孔４８を通して上述した雌ねじ部４１内に螺着されている。これにより、第１接続部４４と蓋部３４とが上下方向に締結されている。
【００２５】
各連結片４６は、第１接続部４４における前後方向の両端部からそれぞれ上方に延設されている。すなわち、連結片４６は、配管２４Ａに対して前後方向の両側に位置する部分を上下方向に延在している。連結片４６の上端部は、天板１２の下面に達している。なお、連結片４６は、配線通過口４２内を通過する照明配線２８と干渉しない位置であれば、第１接続部４４の左右方向の両端部に連設されていても構わない。
【００２６】
第２接続部４５は、各連結片４６の上端部から前後方向の外側（前後方向の中央部から離間する方向）にそれぞれ張り出している。各第２接続部４５には、第２接続部４５を上下方向に貫通する第２挿通孔５２（図３参照）が形成されている。上述した天板１２において、平面視で各第２挿通孔５２とそれぞれ重なり合う部分には、埋め込みナット５４が各別に埋設されている。各埋め込みナット５４には、各第２挿通孔５２内を通して下方から第２ねじ５５が螺着されている。これにより、第２接続部４５は、第２ねじ５５の頭部と天板１２との間に挟持された状態で天板１２に連結されている。
【００２７】
本実施形態では、各配管２４のうち、左右両端に位置する配管２４Ａ，２４Ｂ内に、照明装置２７から引き出された照明配線２８が上下方向に配索される。配管２４Ａ，２４Ｂ内に配索された照明配線２８は、天板１２の下方において、配線通過口４２を通して配管２４Ａ，２４Ｂから引き出される。また、本実施形態では、照明配線２８が配索される配管は、各配管２４の中から適宜選択可能である。
【００２８】
図１、図２に示すように、第１幕板２６は、天板１２の上方において、天板１２の上面に対して間隔をあけた状態で、天板１２の左右全域に亘って延在している。第１幕板２６には、上述した各配管２４の上部（天板１２よりも上方に位置する部分）が下方から挿入されている。本実施形態において、配管２４の上部は、第１幕板２６内において、図示しない固定部材を介して第１幕板２６に固定されている。この場合、配管２４の上端面は、第１幕板２６内において第１幕板２６の上壁よりも下方に位置している。
【００２９】
本実施形態では、第１幕板２６において、配管２４Ａ，２４Ｂよりも上方に位置する位置する部分には、第１幕板２６の内外を連通させる連通孔５７が形成されている。図２に示す例において、連通孔５７は、第１幕板２６において、前壁における右側端部、及び後壁における左側端部にそれぞれ形成されている。照明装置２７から引き出された照明配線２８は、各連通孔５７を通して第１幕板２６内に進入している。第１幕板２６内に進入した照明配線２８は、配管２４Ａ，２４Ｂの上端開口を通して配管２４Ａ，２４Ｂ内にそれぞれ進入している。なお、連通孔５７の形成位置は、第１幕板２６において、照明配線２８が配索された配管２４Ａ，２４Ｂと、照明装置２７と、の間に位置する部分に形成されていれば、適宜変更が可能である。
【００３０】
照明装置２７は、第１幕板２６の前後両壁において、配管２４の上端面よりも上方に位置する部分にそれぞれ設置されている。具体的に、一方の照明装置２７は、第１幕板２６の前壁から前方に片持ちで突出している。他方の照明装置２７は、第１幕板２６の後壁から後方に片持ちで突出している。各照明装置２７は、第１幕板２６の左右全域に亘って延在している。各照明装置２７には、対応する連通孔５７から引き出された照明配線２８がそれぞれ接続される。
【００３１】
各左右仕切部２２は、前後仕切部２１に対して前後両側に位置する部分に、左右方向に間隔をあけて配列されている。各左右仕切部２２のうち、左右両端に位置する左右仕切部２２は、天板１２上における左右両端部に配置されている。そして、前後仕切部２１と隣り合う左右仕切部２２とで区画された領域は、上述した個別ブースＣを構成している。
【００３２】
各左右仕切部２２は、第２幕板５８と、支柱５９と、をそれぞれ備えている。
各第２幕板５８は、第１幕板２６の前後両壁からそれぞれ前後方向の外側に突出している。
支柱５９は、各第２幕板５８における前後方向の外側端部から下方に延設されている。支柱５９の下端部は、天板１２に固定されている。
【００３３】
＜配線収納什器＞
配線収納什器４は、図示しない電源と上述した照明装置２７や配線接続部材１５との間で配線（アダプタ配線１６及び照明配線２８）を収納している。配線収納什器４は、各脚体１１にそれぞれ連結された一対の連結パネル７１と、連結パネル７１に支持された収納箱７２と、を主に備えている。
各連結パネル７１は、各脚体１１において左右両枠間を架け渡すようにそれぞれ配置されている。各連結パネル７１は、各脚体１１の左右両枠及び上枠に固定されている。
【００３４】
収納箱７２は、左右方向に並んで２つ配置されている。各収納箱７２は、天板１２の下面から吊り下げられた状態で、左右方向に延在している。本実施形態において、各収納箱７２と床面Ｆとの間には、作業可能な隙間Ｓが形成されている。また、各収納箱７２は、左右方向の内側端部（左右方向の中央部に向かう方向の端部）同士が互いに連結された状態で、上述した各連結パネル７１における前後方向の中央部同士の間を架け渡している。なお、各収納箱７２は、左右対称の構成であるため、以下の説明では特に必要がない限りは右側収納箱７２Ｒを例にして説明し、左側収納箱７２Ｌの説明を省略する。但し、一つの収納箱７２によって各連結パネル７１間を架け渡しても構わない。
【００３５】
図５は、図１のＶ−Ｖ線に沿う断面図である。
図５に示すように、右側収納箱７２Ｒは、上方に向けて開口する箱型に形成されている。右側収納箱７２Ｒの後壁８１及び底壁８８（図６参照）は、例えば一枚の板材が屈曲形成されて構成されている。後壁８１は、天板１２の下面において、上述した配管２４及び支持具２５よりも後側であって、後列の収容孔１３（配線接続部材１５）よりも前側に位置する部分から下方に延設されている。後壁８１の上端部は、前側に屈曲されて構成された上フランジ部８２を介して天板１２の下面に固定されている。また、後壁８１の右側端部は、前側に屈曲されて構成された右フランジ部８３を介して例えば右側の連結パネル７１に固定されている。
【００３６】
後壁８１の上部には、後壁８１を前後方向に貫通する後壁通過孔８５（図５では１つのみ示す）が形成されている。後壁通過孔８５は、後列の配線接続部材１５（収容孔１３）に対応して各収納箱７２Ｒ，７２Ｌの後壁８１に合計で３つ形成されている。本実施形態では、右側収納箱７２Ｒの後壁８１に、２つの後壁通過孔８５が左右方向に間隔をあけて形成されている。各後壁通過孔８５のうち、左右両端に位置する後壁通過孔（図５では後壁通過孔８５Ａのみ示す）は、対応する配線接続部材１５（図５では配線接続部材１５Ａのみ示す）と左右方向で同位置に配置されている。但し、対応する後壁通過孔８５及び配線接続部材１５同士のうち、何れかの後壁通過孔８５及び配線接続部材１５同士が左右方向で同位置に配置されていても構わない。この場合、対応する後壁通過孔８５及び配線接続部材１５同士の少なくとも一部が左右方向で同等の位置に配置されていれば構わない。
【００３７】
各後壁通過孔８５内には、後壁開閉扉８６が嵌め込まれている。後壁開閉扉８６は、スライド移動や回動等することで、後壁通過孔８５を開閉する。
【００３８】
図６は、図１のＶＩ−ＶＩ線に沿う断面図である。
図６に示すように、後壁８１の下端には、前方に向けて底壁８８が一体に連なっている。底壁８８は、クランク状に形成されている。すなわち、底壁８８は、後側底壁８８ａの前端縁と前側底壁８８ｂとの後端縁とが上下方向に延びる立ち上がり壁部８８ｃを介して連設された構成になっている。但し、左右方向から見た側面視において、底壁８８の全体が前後方向に直線状に延在する構成であっても構わない。
【００３９】
後側底壁８８ａの左右両端部には、後側底壁８８ａを上下方向に貫通する底壁通過孔８９が形成されている。底壁通過孔８９内には、底壁通過孔８９を開閉する底壁蓋部材９０が嵌め込まれている。
【００４０】
後側底壁８８ａには、底壁８８を前後に仕切る仕切壁９１が配設されている。仕切壁９１は、後側底壁８８ａにおける底壁通過孔８９よりも前方に位置する部分から、立ち上がり壁部８８ｃに沿って上方に延在している。
前側底壁８８ｂは、前後方向の長さが後側底壁８８ａよりも短くなっている。前側底壁８８ｂにおける左右両端部には、前側底壁８８ｂを上下方向に貫通する第１固定孔９２が形成されている。
【００４１】
図５、図６に示すように、右側収納箱７２Ｒの前壁９５は、天板１２の下面において、上述した配管２４及び支持具２５よりも前側であって、前列の収容孔１３（配線接続部材１５）よりも後側に位置する部分から下方に延設されている。したがって、本実施形態の右側収納箱７２Ｒは、天板１２の下方において、配管２４及び支持具２５を収容している。
【００４２】
本実施形態の前壁９５は、上側板９６と、上側板９６の下方に位置して上側板９６に着脱可能に構成された下側板９７と、を有している。本実施形態では、下側板９７が取り外された状態において、上側板９６と上述した底壁８８とで画成された部分は、右側収納箱７２Ｒの内外を連通させる作業開口９９を構成している。
【００４３】
図５に示すように、上側板９６は、板材が屈曲形成されて構成されている。具体的に、上側板９６は、後壁８１に前後方向で対向する上本体部１００と、上本体部１００の上端に連なる上フランジ部１０１と、上本体部１００の下端に連なる係止部１０２と、係止部１０２の後端に連なる規制部１０３と、を有している。
上フランジ部１０１は、上本体部１００の上端から後方に延設されている。上フランジ部１０１は、天板１２の下面に固定されている。
【００４４】
上本体部１００には、上本体部１００を前後方向に貫通する前壁通過孔１１０（図５では１つのみ示す）が形成されている。前壁通過孔１１０は、前列の配線接続部材１５（収容孔１３）に対応して各収納箱７２Ｒ，７２Ｌの上本体部１００に合計で３つ形成されている。本実施形態では、右側収納箱７２Ｒの上本体部１００に、１つの前壁通過孔１１０が形成されている。各前壁通過孔１１０のうち、左右両端に位置する前壁通過孔（図５では前壁通過孔１１０Ａのみ示す）は、対応する配線接続部材１５（図５では配線接続部材１５Ｂのみ示す）と左右方向で同位置に配置されている。前壁通過孔１１０内には、前壁通過孔１１０を開閉する前壁開閉扉１１１が嵌め込まれている。なお、上本体部１００の下端は、上述した支持具２５よりも下方に位置している。
【００４５】
係止部１０２は、上本体部１００の下端から後方に延設されている。係止部１０２における左右両端部には、係止部１０２を上下方向に貫通する係止孔１１２が形成されている。
規制部１０３は、係止部１０２の後端から下方に延設されている。
【００４６】
下側板９７は、上側板９６及び底壁８８に対する着脱に伴い、上述した作業開口９９を開閉する。下側板９７は、板材が屈曲形成されて構成されている。本実施形態において、下側板９７の上下方向の長さは、上側板９６の上下方向の長さよりも長くなっている。但し、下側板９７の上下方向の長さは、上側板９６の上下方向の長さ以下であっても構わない。
【００４７】
下側板９７は、後壁８１に前後方向で対向する下本体部１２０を備えている。下本体部１２０の上部における左右両端部には、下本体部１２０を前後方向で貫通する取付孔１２１が形成されている。取付孔１２１内には、ロック部材１２２が取り付けられている。ロック部材１２２は、例えば取付孔１２１内に保持された筐体１２３と、筐体１２３の前面に露出して上下スライド可能な操作部１２４と、操作部１２４のスライド操作に連動して筐体１２３の上面に対して上下動可能な爪部１２５と、を備えている。
【００４８】
爪部１２５は、筐体１２３内に設けられた図示しない付勢部材によって上方に付勢されている。爪部１２５は、下側板９７において下本体部１２０の上端から後方に連なる上連設部１３０に形成された貫通孔１３１を通して、上述した係止孔１１２内に係止されている。なお、本実施形態のロック部材１２２は、スライド操作に応じて係止部１０２との着脱が行われる構成について説明したが、この構成のみに限らず、例えば回転操作に応じて係止部１０２との着脱が行われても構わない。
【００４９】
図６に示すように、下側板９７において、下本体部１２０の下端から後方に連なる下連設部１４０の後端には、立ち上がり壁部１４１が上方に向けて延設されている。下側板９７において、立ち上がり壁部１４１の上端には、後方に向けて固定壁１４２が延設されている。固定壁１４２は、下側板９７の装着状態（作業開口９９の閉状態）において、上述した前側底壁８８ｂの上面に重ね合わされている。固定壁１４２において、上下方向から見た平面視で第１固定孔９２と重なる位置には、固定壁１４２を上下方向に貫通する第２固定孔１４３が形成されている。
【００５０】
固定壁１４２の上面において、第２固定孔１４３と左右方向で同位置には、ナット１４５が固定されている。固定壁１４２と前側底壁８８ｂは、第１固定孔９２及び第２固定孔１４３に下方から挿通されたねじ１４６が固定壁１４２の上方で螺着されることで、上下方向で締結されている。なお、図５の例において、ねじ１４６の頭部は、立ち上がり壁部８８ｃ，１４１、固定壁１４２及び前側底壁８８ｂで囲まれた空間内に収容されている。したがって、ねじ１４６の頭部は、下連設部１４０及び後側底壁８８ａの下面よりも下方に突出しないようになっている。
【００５１】
次に、上述したテーブルシステム１において、前後仕切部２１の組付作業について説明する。
まず、下側板９７を取り外して作業開口９９を開放させる。具体的には、ねじ１４６の螺着を解除して前側底壁８８ｂと固定壁１４２との締結を解除する。その後、ロック部材１２２の操作部１２４をスライド操作して、爪部１２５と係止部１０２との係止を解除する。この状態で、下側板９７は、固定壁１４２を介して前側底壁８８ｂに下方から支持されている。そのため、下側板９７の上部を把持して前側に移動させることで、下側板９７が前側底壁８８ｂ及び固定壁１４２の当接部分を支点にして回動する。これにより、下側板９７が取り外され、作業開口９９が開放される。
【００５２】
次に、作業開口９９を通じて支持具２５を天板１２の下面に取り付ける。具体的には、第２接続部４５を天板１２の下面に当接させた状態で、第２挿通孔５２を通して埋め込みナット５４に第２ねじ５５を螺着する。
【００５３】
続いて、配管２４を天板１２に固定する。本実施形態において、配管２４は、少なくとも第１幕板２６とともにユニット化された状態（以下、「パネル」という場合がある。）で、天板１２に組み付けられる。具体的には、まずパネルの各配管２４を天板１２の各貫通孔３１内に上方から挿入する。その後、支持具２５の第１接続部４４に形成された第１挿通孔４８を通して、配管２４の雌ねじ部４１に第１ねじ５１を螺着する。これにより、配管２４及び第１接続部４４が第１ねじ５１により上下方向で締結される。その後、第１幕板２６に照明装置２７を取り付けることで、前後仕切部２１の組付作業が完了する。なお、パネルは、第１幕板２６に予め照明装置２７が取り付けられた状態であっても構わない。
【００５４】
次に、照明配線２８及びアダプタ配線１６の引き回し作業について説明する。
照明装置２７から引き出された照明配線２８は、連通孔５７を通して第１幕板２６内に進入した後、配管２４内を通して天板１２の下方まで配索される。天板１２の下方まで配索された照明配線２８は、配線通過口４２を通って配管２４の外部に引き出される。配管２４の外部に引き出された照明配線２８は、収納箱７２内を下方に配索され、各底壁通過孔８９を通して収納箱７２の外部に引き出された後、図示しない電源に接続される。
一方、配線接続部材１５に接続されたアダプタ配線１６は、後壁通過孔８５や前壁通過孔１１０を通して収納箱７２内に進入する。収納箱７２内に進入したアダプタ配線１６は、収納箱７２内を下方に配索され、各底壁通過孔８９を通して収納箱７２の外部に引き出された後、図示しない電源に接続される。
【００５５】
上述した各種作業の終了後には、下側板９７を装着して作業開口９９を閉塞する。具体的には、下側板９７の固定壁１４２を前側底壁８８ｂに上方から引っ掛けた状態で、固定壁１４２と前側底壁８８ｂとの接触部分を支点にして下側板９７を上方に回動させる。続いて、ロック部材１２２の爪部１２５を係止部１０２に係止させた後、ねじ１４６によって固定壁１４２と前側底壁８８ｂとを締結する。
これにより、作業開口９９が閉塞される。なお、作業開口９９を通して行う作業は、前後仕切部２１の組付作業や配線の引き回し作業に限らず、その他の各種メンテナンス作業等にも利用できる。
【００５６】
本実施形態では、配管２４が支持具２５を介して天板１２に固定されるとともに、配管２４の蓋部３４と支持具２５の第１接続部４４とが第１ねじ５１により上下方向で締結される構成とした。
この構成によれば、天板１２の下面側のみで配管２４を天板１２に固定できるので、従来のように配管に螺着されたナットにより天板を挟持する構成と異なり、天板１２の上面側にナット等が露出することがない。これにより、天板１２上の意匠性を向上させることができる。また、天板１２の下面側のみで配管２４を天板１２に固定できるので、配管２４をパネルとして天板１２に組み付ける際等、天板１２の上方からナットを螺着できない場合であっても、簡単に配管２４を天板１２に組み付けることができる。これにより、組付性を向上させることができる。
しかも、本実施形態では、配管２４と支持具２５とが第１ねじ５１により上下方向で締結されるため、例えば配管を配管の径方向で締結する場合に比べて配管の変形を抑制できる。そのため、配管２４を天板１２から着脱する際等に、配管２４の変形に伴う配管２４と天板１２との干渉を抑制し、配管２４を貫通孔３１内にスムーズに挿通できる。また、配管２４の変形に伴う締結力の低下を抑制し、配管２４と天板１２との組付状態を長期に亘って良好に維持できる。
【００５７】
本実施形態では、配線通過口４２が筒部３３の径方向に開口している構成とした。
この構成によれば、配管２４と第１接続部４４とを上下方向で締結する場合において、例えば配線通過口を筒部３３の軸方向で開口させる場合に比べて、筒部３３の小径化を図ることができ、テーブルシステム１の意匠性を向上させることができる。また、配線通過口４２を広く確保できるので、照明配線２８の引き回し作業が容易になる。
【００５８】
本実施形態では、筒部３３の内側に固定された蓋部３４に雌ねじ部４１が形成されているため、例えば筒部３３に雌ねじ部を一体に形成する場合と異なり、筒部３３の内径や第１ねじ５１のサイズを独立して選択できる。これにより、設計の自由度を向上させることができる。
【００５９】
そして、本実施形態のテーブルシステム１では、上述した配管支持構造（配管２４及び支持具２５）を備えているため、意匠性及び組付性に優れたテーブルシステム１を提供できる。
【００６０】
（第１変形例）
次に、上述した実施形態の第１変形例について説明する。図７は、第１変形例に係る図であって、図３のＶＩＩ−ＶＩＩ線に対応する断面図である。以下の説明では、上述した実施形態と同様の構成については同一の符号を付して説明を省略する。
図７に示す配管２４において、蓋部１３４の上面は、上下方向に交差する方向に傾斜して延びるガイド面１３４ａとされている。具体的に、ガイド面１３４ａは、配線通過口４２から離間するに従い上方に延在している。なお、図７の例では、蓋部１３４の上面全体が傾斜しているが、この構成のみに限らず、蓋部１３４の上面のうち配線通過口４２の周囲のみを傾斜させても構わない。
【００６１】
この構成によれば、配線通過口４２を通して配管２４の内外に照明配線２８を配索させる際に、例えば配管２４内を配索される照明配線２８がガイド面１３４ａを倣って配線通過口４２に案内され易くなる。これにより、照明配線２８の引き回し作業を容易に行うことができる。
【００６２】
（第２変形例）
次に、上述した実施形態の第２変形例について説明する。上述した実施形態では、第１接続部４４に形成された第１挿通孔４８を通して第１ねじ５１を雌ねじ部４１に螺着する構成について説明したが、これに限られない。
例えば図８に示すように、蓋部２３４と第１接続部４４とをねじ２０１及びナット２０２により上下方向で挟持する構成であっても構わない。具体的に、ねじ２０１は、第１接続部４４の第１挿通孔４８及び蓋部２３４を上下方向に貫通する蓋部挿通孔２０３内に下方から挿通されている。ナット２０２は、蓋部２３４の上方において、ねじ２０１に螺着されている。
【００６３】
これにより、配管２４及び支持具２５は、蓋部２３４と第１接続部４４とがねじ２０１及びナット２０２に上下方向で挟持された状態で、互いに締結されている。なお、ねじ２０１は、第１挿通孔４８や蓋部挿通孔２０３に代えて、切欠き等を挿通する構成であっても構わない。また、図９に示すように、蓋部２３４と第１接続部４４とをクリップ２１０等によって上下方向で挟持する構成であっても構わない。すなわち、配管２４と第１接続部４４は、上下方向で互いに締結される構成であれば構わない。
【００６４】
（第３変形例）
次に、上述した実施形態の第３変形例について説明する。本変形例では、蓋部３３４と第１接続部４４とをピン３０３で連結する点で、上述した実施形態や各変形例と相違している。
図１０に示すように、蓋部３３４には、下方に向けて延びる突起部３０１が形成されている。突起部３０１には、突起部３０１を上下方向に直交する方向に貫通する連結孔３０２が形成されている。突起部３０１は、第１接続部４４の第１挿通孔４８を上下方向に貫通している。この場合、連結孔３０２は、第１接続部４４よりも下方に位置している。
【００６５】
突起部３０１には、ピン３０３が装着されている。ピン３０３は、いわゆるＲピンである。すなわち、ピン３０３は、直線部３１０及び波状部３１１の基端部同士が接続されたものである。ピン３０３は、波状部３１１が直線部３１０に接近する方向に付勢されている。そして、ピン３０３は、直線部３１０が連結孔３０２内に挿通された状態で、直線部３１０と波状部３１１との間に突起部３０１が挟持されることで、突起部３０１に連結されるとともに、第１接続部４４を下方から支持している。これにより、配管２４と第１接続部４４とが上下方向で連結される。
【００６６】
なお、図１１に示すように、突起部３０１と第１接続部４４とを係止リング３２０（いわゆる、Ｅリング）で連結しても構わない。係止リングは、突起部３０１の外周面に係止される円弧部３２１と、円弧部３２１の内周縁から突出した挿通部３２２と、を有している。係止リング３２０は、挿通部３２２が連結孔３０２内に挿通された状態で、円弧部３２１の内側に突起部３０１が嵌め込まれることで、突起部３０１に連結されるとともに、第１接続部４４を下方から支持している。これにより、配管２４と第１接続部４４とが上下方向で連結される。なお、係止リングは、挿通部３２２を有さない構成であっても構わない。
【００６７】
なお、本発明の技術範囲は、上述した各実施形態に限定されるものではなく、本発明の趣旨を逸脱しない範囲において、上述した実施形態に種々の変更を加えたものを含む。
例えば、上述した実施形態では、テーブルシステム１に本発明の配線支持構造を採用した場合について説明したが、テーブルシステム１以外の什器に採用しても構わない。
上述した実施形態では、第２接続部４５を天板１２に接続する構成について説明したが、天板１２と一体に連結されている部材であれば、例えば脚体１１等に第２接続部４５を接続しても構わない。
【００６８】
上述した実施形態では、筒部３３の内側に設けられた蓋部に連結部材（第１ねじ５１等）を締結する場合について説明したが、この構成のみに限らず、例えば筒部３３の内周面に直接雌ねじ部等の固定部を形成しても構わない。
上述した実施形態では、第２接続部４５が第２ねじ５５により天板１２に固定される構成について説明したが、第２接続部４５の固定方法は適宜変更が可能である。例えば、天板１２に形成された係止部等に第２接続部４５を係止させる構成等であっても構わない。
上述した実施形態では、配線通過口４２が径方向に筒部３３の開口する構成について説明したが、この構成のみに限らず、筒部３３の軸方向に開口していても構わない。
上述した実施形態では、配線通過口４２が天板１２の下方で開口している構成について説明したが、この構成のみに限らず、天板１２の上方で開口していても構わない。
上述した実施形態では、配管２４内に配索される配索部材を照明配線２８として説明したが、この構成のみに限らず、その他の配線や配線以外であっても構わない。
【００６９】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７０】
１…テーブルシステム（什器）
２…テーブルユニット（被貫通物）
１２…天板
１６…照明配線（配索部材）
２１…前後仕切部（パネル）
２４，２４Ａ，２４Ｂ…配管
２５，２５Ａ…支持具
２６…第１幕板（パネル本体）
３１…貫通孔
３３…筒部
３４，１３４，２３４…蓋部（固定部）
４１…雌ねじ部
４２…配線通過口（通過口）
４４…第１接続部
４５…第２接続部
５１…第１ねじ（連結部材）
１３４ａ…ガイド面
２０１…ねじ（連結部材）
２０２…ナット（連結部材）
２１０…クリップ（連結部材）
【図１】
2018071761.tif 000003
【図２】
2018071761.tif 000004
【図３】
2018071761.tif 000005
【図４】
2018071761.tif 000006
【図５】
2018071761.tif 000007
【図６】
2018071761.tif 000008
【図７】
2018071761.tif 000009
【図８】
2018071761.tif 000010
【図９】
2018071761.tif 000011
【図１０】
2018071761.tif 000012
【図１１】
2018071761.tif 000013